(57)【要約】【課題】ユーザがテレビジョン受像機を視聴する度に自分に適した機能の設定を行わなくても、当該ユーザに適した機能で自動的に制御可能なテレビジョン受像機を提供する。【解決手段】予め設定されている所定の設定で制御されるテレビジョン受像機１００であって、無線機器２００ａから発せられる電波を受信する通信部１１０と、無線機器２００ａを識別可能な識別情報を、通信部により受信された電波から取得する第一取得部１２１と、複数の無線機器２００ａ、２００ｂ、２００ｃのそれぞれに対応している複数の識別情報と、複数の設定を示す設定情報とがそれぞれ対応付けられた情報である対応付け情報１７１を取得する第二取得部１２２と、対応付け情報において、第一取得部１２１により取得された識別情報に対応付けられている設定を特定する特定部１３０と、特定部１３０により特定された設定でテレビジョン受像機１００を制御する制御部１４０と、を備える。【選択図】図２
2015226290.tif 000002
【特許請求の範囲】
【請求項１】
予め設定されている所定の設定で制御されるテレビジョン受像機であって、
無線機器から発せられる電波を受信する通信部と、
前記無線機器を識別可能な識別情報を、前記通信部により受信された前記電波から取得する第一取得部と、
複数の前記無線機器のそれぞれに対応している複数の前記識別情報と、複数の設定を示す設定情報とがそれぞれ対応付けられた情報である対応付け情報を取得する第二取得部と、
前記対応付け情報において、前記第一取得部により取得された前記識別情報に対応付けられている設定を特定する特定部と、
前記特定部により特定された前記設定で前記テレビジョン受像機を制御する制御部と、を備える
テレビジョン受像機。
【請求項２】
さらに、
ユーザからの入力を受け付ける受付部と、
前記通信部が前記無線機器のうちの所定の無線機器から発せられる所定の電波を受信している場合であって、前記所定の無線機器に対応付けさせるための、前記テレビジョン受像機の所定の設定を示す入力が前記受付部により受け付けられた場合、前記第一取得部により取得された前記所定の無線機器に対応する所定の識別情報と、前記入力により示される前記所定の設定とを対応付けることにより前記対応付け情報を生成する生成部と、を備える
請求項１に記載のテレビジョン受像機。
【請求項３】
さらに、
前記通信部が前記無線機器から発せられる電波を受信している場合、前記対応付け情報において前記所定の設定が対応付けられる対象となる前記所定の無線機器から発せられている前記電波をオフにさせるメッセージをユーザに通知する通知部を備え、
前記生成部は、電波を発している前記無線機器のうちで、前記電波の発信がオンからオフになった無線機器を前記所定の無線機器として特定し、前記対応付け情報を生成する
請求項２に記載のテレビジョン受像機。
【請求項４】
前記生成部は、前記対応付け情報として、前記複数の識別情報のそれぞれに優先順位をさらに対応付けて生成し、
前記対応付け情報に保持されている前記複数の識別情報により識別される前記複数の無線機器に含まれる第一無線機器及び第二無線機器から発せられる電波を前記通信部が受信している場合、前記制御部は、前記第一無線機器及び前記第二無線機器のうちで前記対応付け情報において前記優先順位が高い無線機器を示す識別情報に対応付けられている設定で前記テレビジョン受像機を制御する
請求項２または３に記載のテレビジョン受像機。
【請求項５】
さらに、
前記生成部において生成された前記対応付け情報を記憶する記憶部を備え、
前記第二取得部は、前記記憶部に記憶されている対応付け情報を取得する
請求項２から４のいずれか１項に記載のテレビジョン受像機。
【請求項６】
さらに、
前記通信部は、インターネットを介してサーバと通信可能であり、
前記生成部は、生成した前記対応付け情報を、前記通信部を介して前記サーバに記憶させ、
前記第二取得部は、前記通信部を介して前記対応付け情報を取得する
請求項２から４のいずれか１項に記載のテレビジョン受像機。
【請求項７】
前記設定は、パレンタルロックの設定、ＲＦチャンネルの設定、最大音声出力値の設定、インターネット接続可否の設定、閲覧可能サイトの設定、画質の設定、音質の設定、及び字幕の設定の少なくとも１つを含む
請求項１から６のいずれか１項に記載のテレビジョン受像機。
【請求項８】
前記制御部は、前記通信部により前記電波が受信されている間において、前記第一取得部、前記第二取得部、及び前記特定部において当該電波から特定される設定で前記テレビジョン受像機を制御する
請求項１から７のいずれか１項に記載のテレビジョン受像機。
【請求項９】
予め設定されている所定の設定で制御されるテレビジョン受像機の制御方法であって、
無線機器から発せられる電波を受信する通信ステップと、
前記無線機器を識別可能な識別情報を、前記通信ステップにおいて受信された前記電波から取得する第一取得ステップと、
複数の前記無線機器のそれぞれに対応している複数の前記識別情報と、複数の設定を示す設定情報とがそれぞれ対応付けられた情報である対応付け情報を取得する第二取得ステップと、
前記対応付け情報において、前記第一取得ステップにおいて取得された前記識別情報に対応付けられている設定を特定する特定ステップと、
前記特定ステップにおいて特定された前記設定で前記テレビジョン受像機を制御する制御ステップと、を含む
テレビジョン受像機の制御方法。
【発明の詳細な説明】
【技術分野】
【０００１】
本発明は、無線機器と無線通信可能なテレビジョン受像機、及び、テレビジョン受像機の制御方法に関する。
【背景技術】
【０００２】
従来、複数のユーザ毎に、当該ユーザの好みに合わせてテレビジョン受像機に対する制御を切り替えることが可能なテレビジョン受像機が開示されている（例えば特許文献１参照）。特許文献１の技術では、ユーザにより入力された情報からユーザを特定し、複数のユーザ毎に適した設定でテレビジョン受像機を制御している。
【先行技術文献】
【特許文献】
【０００３】
【特許文献１】特開２００６−１４８６２８号公報
【発明の概要】
【発明が解決しようとする課題】
【０００４】
しかしながら、特許文献１の技術では、ユーザにより入力された情報に基づいてユーザを特定するため、ユーザはテレビジョン受像機にユーザを特定させるための情報を、テレビジョン受像機に対して入力する必要がある。
【０００５】
そこで、本発明は、このような状況に鑑みてなされたものであり、ユーザがテレビジョン受像機を視聴する度に自分に適した機能の設定を行わなくても、当該ユーザに適した機能で自動的に制御可能なテレビジョン受像機などを提供することを目的とする。
【課題を解決するための手段】
【０００６】
上記目的を達成するために、本発明の一態様に係るテレビジョン受像機は、予め設定されている所定の設定で制御されるテレビジョン受像機であって、無線機器から発せられる電波を受信する通信部と、前記無線機器を識別可能な識別情報を、前記通信部により受信された前記電波から取得する第一取得部と、複数の前記無線機器のそれぞれに対応している複数の前記識別情報と、複数の設定を示す設定情報とがそれぞれ対応付けられた情報である対応付け情報を取得する第二取得部と、前記対応付け情報において、前記第一取得部により取得された前記識別情報に対応付けられている設定を特定する特定部と、前記特定部により特定された前記設定で前記テレビジョン受像機を制御する制御部と、を備える。
【０００７】
これによれば、例えば複数のユーザのそれぞれが複数の無線機器を所持している場合であって、当該無線機器がテレビジョン受像機と無線通信を行った場合に、当該無線通信を行った無線機器に対応する設定でテレビジョン受像機が制御される。このため、例えば、ユーザが無線機器を所持した状態で、テレビジョン受像機と当該無線機器とが無線通信を行えば、無線機器の識別情報に応じた設定で、テレビジョン受像機を制御することができる。つまり、ユーザは、テレビジョン受像機を起動する度に、設定を行わなくても、ユーザに適切な機能設定に設定されたテレビジョン受像機を利用することができる。
【０００８】
例えば、さらに、ユーザからの入力を受け付ける受付部と、前記通信部が前記無線機器のうちの所定の無線機器から発せられる所定の電波を受信している場合であって、前記所定の無線機器に対応付けさせるための、前記テレビジョン受像機の所定の設定を示す入力が前記受付部により受け付けられた場合、前記第一取得部により取得された前記所定の無線機器に対応する所定の識別情報と、前記入力により示される前記所定の設定とを対応付けることにより前記対応付け情報を生成する生成部と、を備えても良い。
【０００９】
これによれば、ユーザは、所定の無線機器の所定の識別情報に、所定の設定を対応付けることで対応付け情報を生成部に生成させることができる。これにより、例えば、ユーザが所持している所定の無線機器に対して、所望のテレビジョン受像機の設定を対応させた対応付け情報を生成させれば、ユーザは所定の無線機器を所持したままテレビジョン受像機を視聴するだけで、テレビジョン受像機を所定の設定で制御させることができる。
【００１０】
例えば、さらに、前記通信部が前記無線機器から発せられる電波を受信している場合、前記対応付け情報において前記所定の設定が対応付けられる対象となる前記所定の無線機器から発せられている前記電波をオフにさせるメッセージをユーザに通知する通知部を備え、前記生成部は、電波を発している前記無線機器のうちで、前記電波の発信がオンからオフになった無線機器を前記所定の無線機器として特定し、前記対応付け情報を生成しても良い。
【００１１】
例えば、テレビジョン受像機の通信部において電波が受信されている無線機器が複数存在し、ユーザが対応付け情報に登録させる所定の機器を、電波または無線機器の識別情報で特定する必要があり、難しい。上記の構成のテレビジョン受像機によれば、通知部によりユーザに通知したメッセージで促された電波のオフが実行された無線機器を対応付け情報に登録する所定の機器として特定するため、ユーザが望んでいる所定の機器を特定することを容易にできる。
【００１２】
例えば、前記生成部は、前記対応付け情報として、前記複数の識別情報のそれぞれに優先順位をさらに対応付けて生成し、前記対応付け情報に保持されている前記複数の識別情報により識別される前記複数の無線機器に含まれる第一無線機器及び第二無線機器から発せられる電波を前記通信部が受信している場合、前記制御部は、前記第一無線機器及び前記第二無線機器のうちで前記対応付け情報において前記優先順位が高い無線機器を示す識別情報に対応付けられている設定で前記テレビジョン受像機を制御しても良い。
【００１３】
これによれば、対応付け情報に登録されている無線機器のうち複数の無線機器の電波を同時に通信部が受信している場合に、対応付け情報で対応付けられている優先順位が高い無線機器に対応付けられている設定でテレビジョン受像機を制御する。このため、複数のユーザがテレビジョン受像機を視聴するような場合であっても、予め定められた優先順位の高いユーザに適した設定でテレビジョン受像機を制御させることができる。
【００１４】
例えば、さらに、前記生成部において生成された前記対応付け情報を記憶する記憶部を備え、前記第二取得部は、前記記憶部に記憶されている対応付け情報を取得しても良い。
【００１５】
これによれば、記憶部に対応付け情報を記憶させているため、第二取得部は容易に対応付け情報を取得することができる。
【００１６】
例えば、さらに、前記通信部は、インターネットを介してサーバと通信可能であり、前記生成部は、生成した前記対応付け情報を、前記通信部を介して前記サーバに記憶させ、前記第二取得部は、前記通信部を介して前記対応付け情報を取得しても良い。
【００１７】
このように、サーバに対応付け情報を記憶させることで、ユーザはテレビジョン受像機の機能を有する別のテレビジョン受像機でテレビ放送、オンデマンドなどでコンテンツを視聴するときに、当該ユーザに適した設定で別のテレビジョン受像機を制御させることができる。
【００１８】
例えば、前記設定は、パレンタルロックの設定、ＲＦチャンネルの設定、最大音声出力値の設定、インターネット接続可否の設定、閲覧可能サイトの設定、画質の設定、音質の設定、及び字幕の設定の少なくとも１つを含んでも良い。
【００１９】
例えば、前記制御部は、前記通信部により前記電波が受信されている間において、前記第一取得部、前記第二取得部、及び前記特定部において当該電波から特定される設定で前記テレビジョン受像機を制御しても良い。
【００２０】
なお、本発明は、このような特徴的な処理部を備えるテレビジョン受像機として実現することができるだけでなく、テレビジョン受像機に含まれる特徴的な処理部が実行する処理をステップとするテレビジョン受像機の制御方法として実現することができる。また、テレビジョン受像機に含まれる特徴的な処理部としてコンピュータを機能させるためのプログラムまたは制御方法に含まれる特徴的なステップをコンピュータに実行させるプログラムとして実現することもできる。そして、そのようなプログラムを、ＣＤ−ＲＯＭ（Ｃｏｍｐａｃｔ  Ｄｉｓｃ−Ｒｅａｄ  Ｏｎｌｙ  Ｍｅｍｏｒｙ）等のコンピュータ読取可能な非一時的な記録媒体やインターネット等の通信ネットワークを介して流通させることができるのは、言うまでもない。
【発明の効果】
【００２１】
本発明によると、ユーザがテレビジョン受像機を視聴する度に自分に適した機能の設定を行わなくても、当該ユーザに適した機能で自動的に制御可能である。
【図面の簡単な説明】
【００２２】
【図１】実施の形態１に係るテレビジョン受像機及び無線機器を含む無線システムを示す外観図である。
【図２】実施の形態１に係るテレビジョン受像機及び無線機器を含む無線システムのブロック図である。
【図３】実施の形態１における対応付け情報の一例を示す図である。
【図４Ａ】実施の形態１で行われる登録処理を説明するためのフローチャートである。
【図４Ｂ】実施の形態１で行われる登録処理を説明するためのフローチャートである。
【図５】実施の形態１で行われる設定処理を説明するためのフローチャートである。
【図６】実施の形態２に係るテレビジョン受像機及び無線機器を含む無線システムのブロック図である。
【図７】実施の形態２における対応付け情報について説明するための図である。
【図８】実施の形態２で行われる設定処理を説明するためのフローチャートである。
【図９】実施の形態３に係るテレビジョン受像機及び無線機器を含む無線システムのブロック図である。
【発明を実施するための形態】
【００２３】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態、ステップ、ステップの順序などは、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００２４】
（実施の形態１）
本発明は、複数のユーザ毎に当該ユーザに適した機能で制御されるテレビジョン受像機である。
【００２５】
図１は、実施の形態１に係るテレビジョン受像機及び無線機器を含む無線システムを示す外観図である。図２は、実施の形態１に係るテレビジョン受像機及び無線機器を含む無線システムのブロック図である。
【００２６】
これらの図に示すように、実施の形態１に係る無線システム１は、テレビジョン受像機１００と無線機器２００ａ〜２００ｃとを備える。
【００２７】
テレビジョン受像機１００及び無線機器２００ａ〜２００ｃは、互いに無線通信（例えば、Ｂｌｕｅｔｏｏｔｈ（登録商標）、Ｗｉ−Ｆｉなど）を行うことが可能である。テレビジョン受像機１００は、予め設定されている所定の設定で制御される。
【００２８】
無線機器２００ａ〜２００ｃは、具体的には、スマートフォンを含む携帯電話、タブレット端末などであり、Ｂｌｕｅｔｏｏｔｈ（登録商標）、Ｗｉ−Ｆｉなどで無線通信可能な情報端末である。また、無線機器２００ａ〜２００ｃは、ユーザが常に携帯している端末である方が好ましく、携帯電話以外にも、例えば、Ｂｌｕｅｔｏｏｔｈ（登録商標）、Ｗｉ−Ｆｉなどで通信可能な、ヘッドセットや、携帯音楽プレーヤー、活動量計などであってもよい。
【００２９】
テレビジョン受像機１００は、図２に示すように、通信部１１０と、取得部１２０と、特定部１３０と、制御部１４０と、受付部１５０と、生成部１６０と、記憶部１７０と、通知部１８０と、表示部１９１と、スピーカ１９２とを備える。
【００３０】
通信部１１０は、無線機器２００ａ〜２００ｃから発せられる電波を受信する。また、通信部１１０は、無線機器２００ａ〜２００ｃと通信するための電波を発信する。つまり、通信部１１０は、無線機器２００ａ〜２００ｃとの間でデータを送受信するための無線通信を行う。具体的には、通信部１１０は、Ｂｌｕｅｔｏｏｔｈ（登録商標）、Ｗｉ−Ｆｉなどの無線通信を行うことが可能である。
【００３１】
取得部１２０は、第一取得部１２１及び第二取得部１２２を有する。
【００３２】
第一取得部１２１は、無線機器２００ａ〜２００ｃを識別可能な識別情報を、通信部１１０により受信された電波から取得する。具体的には、第一取得部１２１は、無線機器２００ａ〜２００ｃが発している電波の周波数の違いから識別情報を生成することにより、当該識別情報を取得する。
【００３３】
第二取得部１２２は、複数の無線機器２００ａ〜２００ｃのそれぞれに対応している複数の識別情報と複数の機能情報とがそれぞれ対応付けられた情報である対応付け情報１７１を取得する。具体的には、第二取得部１２２は、記憶部１７０に記憶されている対応付け情報１７１を取得する。
【００３４】
特定部１３０は、対応付け情報１７１において、第一取得部１２１により取得された識別情報に対応付けられている設定を特定する。
【００３５】
制御部１４０は、特定部１３０により特定された設定でテレビジョン受像機１００を制御する。
【００３６】
受付部１５０は、ユーザからの入力を受け付ける。具体的には、受付部１５０は、リモコン３００を介してユーザからの入力を受け付ける。つまり、受付部１５０は、リモコン３００に対してユーザにより入力が行われた場合、当該入力を受信する受信部である。また、受付部１５０は、リモコン３００に限らずに、テレビジョン受像機１００に設けられている入力ボタン（図示せず）であってもよいし、無線機器２００ａ〜２００ｃのいずれかに対して行われた入力を示す入力信号を、通信部１１０を介して受け付ける構成であっても良い。
【００３７】
生成部１６０は、対応付け情報１７１を生成する。具体的には、例えば、生成部１６０は、通信部１１０が無線機器２００ａ〜２００ｃのうちの所定の無線機器２００ａから発せられる所定の電波を受信している場合であって、当該所定の無線機器２００ａに対応付けさせるためのテレビジョン受像機１００の所定の設定を示す入力が受付部１５０により受け付けられた場合、第一取得部１２１により取得された所定の無線機器２００ａに対応する所定の識別情報と、受け付けられた入力により示される所定の設定とを対応付けることにより対応付け情報１７１を生成する。生成部１６０は、電波を発している無線機器のうちで、電波がオンからオフになった無線機器を所定の無線機器として特定し、特定した所定の無線機器に対する対応付け情報１７１を生成する。
【００３８】
記憶部１７０は、生成部１６０において生成された対応付け情報１７１を記憶する。対応付け情報１７１は、無線機器を識別するための識別情報と、テレビジョン受像機１００の各機能の設定とが対応付けられた情報である。
【００３９】
図３は、実施の形態１における対応付け情報の一例を示す図である。
【００４０】
ここで、テレビジョン受像機１００の各機能の設定は、具体的には、パレンタルロック（ｐａｒｅｎｔａｌ  ｌｏｃｋ）の設定、ＲＦチャンネル（ｒａｄｉｏ  ｆｒｅｑｕｅｎｃｙ  ｃｈａｎｎｅｌ）の設定、最大音声出力値の設定、インターネット接続可否の設定、及び閲覧可能サイトの設定の少なくとも１つについてユーザにより所定の設定に設定された情報である。
【００４１】
パレンタルロックの設定では、テレビ放送、オンデマンドなどで視聴可能なコンテンツの視聴を制限することが可能である。パレンタルロックの設定では、具体的には、Ｒ指定などの視聴年齢制限で制限されているコンテンツの視聴を、ユーザにより設定された年齢、またはそれに対応するレイティングに応じて制限することができる。
【００４２】
ＲＦチャンネルの設定は、ユーザの好みのチャンネルを指定したり、ユーザの好みの順番にチャンネルを設定したりすることができる。
【００４３】
最大音声出力値の設定では、テレビジョン受像機１００から出力される音量の最大値を所定の出力値に制限できる。
【００４４】
インターネット接続可否の設定では、テレビジョン受像機１００がインターネットに接続できる設定と、インターネットに接続できない設定とのいずれか一方に設定できる。
【００４５】
閲覧可能サイトの設定では、インターネット上で提供されているウェブサイトに応じて閲覧制限の設定をすることができる。
【００４６】
通知部１８０は、通信部１１０が無線機器２００ａ〜２００ｃから発せられる電波を受信している場合、対応付け情報１７１において所定の設定が対応付けられる対象となる所定の無線機器から発せられている電波をオフにさせるメッセージをユーザに通知する。この場合、具体的には、通知部１８０は、所定の設定を対応付けする対象の無線機器の電波をオフにすることをユーザに促すメッセージを、表示部１９１に表示させてもよいし、当該メッセージを示す音声をスピーカ１９２から出力させてもよい。
【００４７】
表示部１９１は、テレビジョン受像機１００のディスプレイであり、放送波が復号されることにより得られた映像を表示したり、上述したようなユーザに促すメッセージを表示したり、無線機器に各設定の対応付けを行うためのＧＵＩ（Ｇｒａｐｈｉｃ  Ｕｓｅｒ  Ｉｎｔｅｒｆａｃｅ）を表示したりする。
【００４８】
スピーカ１９２は、テレビジョン受像機１００の音声を出力するためのスピーカであり、放送波が復号されることにより得られた音声を出力したり、上述したようなユーザに促すメッセージを示す音声を出力したりする。
【００４９】
次に、テレビジョン受像機１００において無線機器に各設定の対応付けを行う登録処理について、図４Ａ及び４Ｂを用いて説明する。
【００５０】
図４Ａ及び４Ｂは、実施の形態１で行われる登録処理を説明するためのフローチャートである。
【００５１】
まず、受付部１５０は、無線機器の登録処理を開始するための入力を受け付けたか否かを判定する（Ｓ１１）。例えば、受付部１５０が、登録処理を開始するための入力をリモコン３００から受け付けたか否かを判定する。
【００５２】
受付部１５０が当該入力を受け付けたと判定した場合（Ｓ１１：Ｙｅｓ）、通信部１１０は、無線機器から発せられている電波の検出を行う（Ｓ１２）。一方で、受付部１５０が当該入力を受け付けなかったと判定した場合（Ｓ１１：Ｎｏ）、ステップＳ１１を繰り返す。
【００５３】
次に、通信部１１０は、無線機器から電波を受信したか否かを判定する（Ｓ１３）。
【００５４】
通信部１１０は、無線機器から電波を受信したと判定した場合（Ｓ１３：Ｙｅｓ）、電波が複数の無線機器から発せされているか否かを判定する（Ｓ１４）。一方で、通信部１１０が無線機器から電波を受信しなかったと判定した場合（Ｓ１３：Ｎｏ）、登録処理を終了する。
【００５５】
電波が複数の無線機器から発せられていると通信部１１０が判定した場合（Ｓ１４：Ｙｅｓ）、通知部１８０は、対応付け情報１７１に登録する無線機器を特定するためのメッセージをユーザに通知する（Ｓ１５）。つまり、通知部１８０は、対応付け情報１７１に登録する無線機器を特定するためのメッセージとして、ユーザに、対応付け情報１７１において所定の設定が対応付けられる対象となる所定の無線機器から発せられている電波をオフにさせるメッセージを通知する。通知部１８０は、例えば、「登録したい無線機器のＢｌｕｅｔｏｏｔｈ（登録商標）をオフにしてください」というメッセージを表示部１９１に表示させる。
【００５６】
次に、通信部１１０は、電波がオンからオフに切り替わった無線機器があるか否かを判定する（Ｓ１６）。
【００５７】
電波がオンからオフに切り替わった無線機器があると通信部１１０が判定した場合（Ｓ１６：Ｙｅｓ）、通信部１１０は当該無線機器を特定する（Ｓ１７）。一方で、通信部１１０は、電波がオンからオフに切り替わった無線機器がないと判定した場合（Ｓ１６：Ｎｏ）、ステップＳ１５の通知から所定時間（例えば５分）が経過したか否かを判定する（Ｓ１８）。
【００５８】
ステップＳ１５の通知から所定時間が経過したと通信部１１０が判定した場合（Ｓ１８：Ｙｅｓ）、通知部１８０は、無線機器を特定することができなかった旨のエラーを通知し（Ｓ１９）、登録処理を終了する。一方で、所定期間が経過していないと通信部１１０が判定した場合（Ｓ１８：Ｎｏ）、ステップＳ１６に戻る。
【００５９】
一方でステップＳ１４において、通信部１１０は、電波が複数の無線機器から発せられていないと判定した場合（Ｓ１４：Ｎｏ）、電波が1つの無線機器から発せられていることになるため、当該無線機器を特定する（Ｓ１７）。
【００６０】
次に、通知部１８０は、ユーザに、特定された無線機器に対応する機能の設定を行うことを促すメッセージを通知する（Ｓ２０）。通知部１８０は、例えば、「機能の設定を行ってください」というメッセージを表示部１９１に表示させる。
【００６１】
次に、受付部１５０は、ユーザによりリモコン３００に対して行われた入力を受け付ける（Ｓ２１）。具体的には、受付部１５０は、テレビジョン受像機１００の各機能において、所定の設定を示す入力を受け付ける。
【００６２】
そして、受付部１５０は、機能の設定の入力が完了したか否かを判定する（Ｓ２２）。例えば、受付部１５０は、ユーザによりリモコン３００に対して行われた入力が、機能の設定の入力の完了を示す入力（例えば、機能の設定の確定を示すボタンを押すことを示す入力）であるか否かを判定する。
【００６３】
受付部１５０が機能の設定の入力が完了したと判定した場合（Ｓ２２：Ｙｅｓ）、生成部１６０は、ステップＳ１７で特定した無線機器を示す識別情報と、ステップＳ２１で入力された機能の設定とを対応付けた対応付け情報１７１を生成し、記憶部１７０に記憶させる（Ｓ２３）。ステップＳ２３が終了すれば、登録処理を終了する。一方で、受付部１５０は、機能の設定の入力が完了していないと判定した場合（Ｓ２２：Ｎｏ）、所定時間（例えば５分）経過したか否かを判定する（Ｓ２４）。
【００６４】
受付部１５０が所定時間経過したと判定した場合（Ｓ２４：Ｙｅｓ）、ステップＳ２１に戻る。一方で、受付部１５０が所定時間経過していないと判定した場合（Ｓ２４：Ｎｏ）、ステップＳ２２に戻る。
【００６５】
なお、ステップＳ１５及びステップＳ１６の処理は必ずしも行わなくてもよく、代わりに、ユーザから無線機器を特定するための入力を受け付けるまで待機してもよい。この場合、ユーザからの入力を受け付けた場合にステップＳ１７に進み、ユーザからの入力を受け付けない場合にステップＳ１８に進むことになる。
【００６６】
次に、テレビジョン受像機１００を起動したとき、起動しているテレビジョン受像機１００に対応付け情報１７１に登録された無線機器を所持しているユーザが近づいたときに、テレビジョン受像機１００により行われる設定処理について説明する。
【００６７】
図５は、実施の形態１で行われる設定処理を説明するためのフローチャートである。
【００６８】
まず、通信部１１０は、記憶部１７０に記憶している対応付け情報１７１の識別情報に対応する無線機器が発している電波があるか否かを判定する（Ｓ３１）。
【００６９】
記憶部１７０に記憶している対応付け情報１７１の識別情報に対応する無線機器が発している電波があると通信部１１０が判定した場合（Ｓ３１：Ｙｅｓ）、第一取得部１２１は、当該電波から無線機器の識別情報を取得する（Ｓ３２）。一方で、記憶部１７０に記憶している対応付け情報１７１の識別情報に対応する無線機器が発している電波がないと通信部１１０が判定した場合（Ｓ３１：Ｎｏ）、設定処理を終了する。
【００７０】
次に、第二取得部１２２は、記憶部１７０に記憶されている対応付け情報１７１を取得する（Ｓ３３）。
【００７１】
次に、特定部１３０は、ステップＳ３３で取得された対応付け情報１７１において、ステップＳ３２で取得された識別情報に対応付けられている設定を特定する（Ｓ３４）。
【００７２】
そして、制御部１４０は、特定部１３０により特定された設定でテレビジョン受像機１００を制御し（Ｓ３５）、設定処理を終了する。なお、設定処理は、終了せずに、ステップＳ３１に戻ってループしてもよい。つまり、設定処理は、テレビジョン受像機１００が起動し続けている間中、行われていてもよい。
【００７３】
本実施の形態１に係るテレビジョン受像機１００によれば、複数のユーザのそれぞれが複数の無線機器を所持している場合であって、当該無線機器がテレビジョン受像機１００と無線通信を行った場合に、当該無線通信を行った無線機器に対応する設定でテレビジョン受像機１００が制御される。このため、ユーザが無線機器を所持した状態で、テレビジョン受像機１００と当該無線機器とが無線通信を行えば、無線機器の識別情報に応じた設定でテレビジョン受像機を制御することができる。つまり、ユーザは、テレビジョン受像機１００を起動する度に、テレビジョン受像機１００の機能の設定を行わなくても、ユーザに適切な機能設定に設定されたテレビジョン受像機１００を利用することができる。
【００７４】
また、本実施の形態１に係るテレビジョン受像機１００によれば、ユーザは、所定の無線機器の所定の識別情報に、所定の設定を対応付けることで対応付け情報１７１を生成部に生成させることができる。これにより、例えば、ユーザが所持している所定の無線機器に対して、所望のテレビジョン受像機１００の設定を対応させた対応付け情報１７１を生成させれば、ユーザは所定の無線機器を所持したままテレビジョン受像機１００を視聴するだけで、テレビジョン受像機１００を所定の設定で制御させることができる。
【００７５】
ここで、例えば、テレビジョン受像機１００の通信部１１０において電波が受信されている無線機器が複数存在し、ユーザが対応付け情報１７１に登録させる所定の機器を、電波または無線機器の識別情報で特定する必要があり、難しい。しかしながら、本実施の形態１に係るテレビジョン受像機１００によれば、通知部１８０によりユーザに通知したメッセージで促された電波のオフが実行された無線機器を対応付け情報１７１に登録する所定の無線機器として特定するため、ユーザが望んでいる所定の無線機器を特定することを容易にできる。
【００７６】
また、本実施の形態１に係るテレビジョン受像機１００によれば、記憶部１７０は、対応付け情報１７１を記憶しているため、第二取得部１２２は、容易に対応付け情報１７１を取得することができる。
【００７７】
（実施の形態２）
実施の形態２に係るテレビジョン受像機について説明する。
【００７８】
図６は、実施の形態２に係るテレビジョン受像機及び無線機器を含む無線システムのブロック図である。
【００７９】
実施の形態２に係る無線システム１ａは、テレビジョン受像機１００ａと無線機器２００ａ〜２００ｃとを備える。実施の形態２に係るテレビジョン受像機１００ａは、実施の形態１に係るテレビジョン受像機１００の構成と、制御部１４０ａ及び生成部１６０ａの機能と、記憶部１７０ａが記憶する対応付け情報１７２が異なる。実施の形態２に係るテレビジョン受像機１００ａのその他の構成は、実施の形態１に係るテレビジョン受像機１００の構成と同様であるため説明を省略する。
【００８０】
具体的には、生成部１６０ａは、実施の形態１に係る生成部１６０の機能に加えて、対応付け情報１７２として、複数の識別情報のそれぞれに優先順位をさらに対応付けて生成する。
【００８１】
また、記憶部１７０ａは、生成部１６０ａにより生成された対応付け情報１７２を記憶する。
【００８２】
図７は、実施の形態２における対応付け情報について説明するための図である。
【００８３】
図７に示すように、対応付け情報１７２は、図３に示す対応付け情報１７１に、さらに、優先順位が対応付けられていることが異なる。なお、この場合は、優先順位に示される数字が低いほど、優先順位が高いことを示す。
【００８４】
制御部１４０ａは、対応付け情報１７２に保持されている複数の識別情報により識別される複数の無線機器に含まれる第一無線機器及び第二無線機器から発せられる電波を通信部１１０が受信している場合、第一無線機器及び第二無線機器のうちで対応付け情報１７２において優先順位が高い無線機器を示す識別情報に対応付けられている設定でテレビジョン受像機１００ａを制御する。具体的には、例えば、無線機器２００ａと無線機器２００ｂとが発している電波をテレビジョン受像機１００ａの通信部１１０が受信している場合、制御部１４０ａは、無線機器２００ａ及び無線機器２００ｂのうちで対応付け情報１７２において優先順位が高い無線機器２００ａを示す識別情報に対応付けられている設定でテレビジョン受像機１００ａを制御することになる。
【００８５】
次に、実施の形態２に係るテレビジョン受像機１００ａにより行われる設定処理について説明する。
【００８６】
図８は、実施の形態２で行われる設定処理を説明するためのフローチャートである。
【００８７】
ここで、ステップＳ３１〜Ｓ３５は、実施の形態１で説明した設定処理と同じであるため説明を省略する。ここでは、ステップＳ３１の後に行われるステップＳ４１からステップＳ４４までの処理について説明する。
【００８８】
通信部１１０は、記憶部１７０に記憶している対応付け情報１７２の識別情報に対応する無線機器が発している電波があると判定した場合（Ｓ３１：Ｙｅｓ）、登録されている無線機器の電波が複数であるか否かを判定する（Ｓ４１）。一方で、記憶部１７０に記憶している対応付け情報１７２の識別情報に対応する無線機器が発している電波がないと通信部１１０が判定した場合（Ｓ３１：Ｎｏ）、設定処理を終了する。
【００８９】
登録されている無線機器の電波が複数であると通信部１１０が判定した場合（Ｓ４１：Ｙｅｓ）、第一取得部１２１は、通信部１１０により受信された複数の電波から当該複数の電波を発している複数の無線機器を識別可能な識別情報を取得する（Ｓ４２）。一方で、登録されている無線機器の電波が複数でないと通信部１１０が判定した場合（Ｓ４１：Ｎｏ）、実施の形態１で説明したステップＳ３２〜Ｓ３５の処理と同様の処理が行われる。
【００９０】
次に、第二取得部１２２は、記憶部１７０に記憶されている対応付け情報１７２を取得する（Ｓ４３）。
【００９１】
次に、制御部１４０ａは、ステップＳ４３で取得された対応付け情報１７２から、ステップＳ４２で取得された複数の無線機器の識別情報のそれぞれに対応する優先順位を特定し、優先順位の高い方の無線機器を選択する（Ｓ４４）。
【００９２】
そして、ステップＳ４４の後に行われるステップＳ３４では、特定部１３０は、ステップＳ４３で取得された対応付け情報１７２において、ステップＳ４４で選択された無線機器の識別情報に対応付けられている設定を特定する。
【００９３】
本実施の形態２に係るテレビジョン受像機１００ａによれば、対応付け情報１７２に登録されている無線機器のうち複数の無線機器の電波を同時に通信部が受信している場合、制御部１４０ａは、対応付け情報１７２で対応付けられている優先順位が高い無線機器に対応付けられている設定でテレビジョン受像機１００ａを制御する。このため、複数のユーザがテレビジョン受像機１００ａを視聴するような場合であっても、予め定められた優先順位の高いユーザに適した設定でテレビジョン受像機１００ａを制御させることができる。
【００９４】
（実施の形態３）
実施の形態３に係るテレビジョン受像機について説明する。
【００９５】
図９は、実施の形態３に係るテレビジョン受像機及び無線機器を含む無線システムのブロック図である。
【００９６】
実施の形態３に係る無線システム１ｂは、テレビジョン受像機１００ｂと無線機器２００ａ〜２００ｃとを備える。実施の形態３に係るテレビジョン受像機１００ｂは、実施の形態１に係るテレビジョン受像機１００の構成と、記憶部１７０が無いことが異なる。また、テレビジョン受像機１００ｂは、インターネット５００を介してサーバ４００と通信可能であり、サーバ４００に生成部１６０で生成した対応付け情報１７１が記憶されるように構成されていることが異なる。
【００９７】
実施の形態３に係るテレビジョン受像機１００ｂのように、生成部１６０で生成した対応付け情報１７１を記憶部１７０に記憶させずに、サーバ４００に記憶させるような構成であってもよい。この場合、第二取得部１２２は、対応付け情報１７１を、通信部１１０を介してサーバ４００から取得することになる。なお、対応付け情報１７１は、テレビジョン受像機１００ｂを所有するユーザを示すユーザＩＤがさらに対応付けられている。
【００９８】
このように、サーバ４００に対応付け情報１７１を、ユーザＩＤをさらに対応付けて記憶させることで、ユーザはテレビジョン受像機１００ｂの機能を有する別のテレビジョン受像機１００ｂでテレビ放送、オンデマンドなどでコンテンツを視聴するときに、当該ユーザに適した設定で別のテレビジョン受像機１００ｂを制御させることができる。
【００９９】
なお、テレビジョン受像機１００ｂは、記憶部を有していないが、記憶部を有しており、サーバ４００の他に当該記憶部にも対応付け情報１７１を記憶させるような構成であってもよい。
【０１００】
（実施の形態４）
実施の形態４に係るテレビジョン受像機について説明する。
【０１０１】
上記実施の形態１〜３に係るテレビジョン受像機１００、１００ａ、１００ｂでは、ユーザがリモコン３００で入力することにより、生成部１６０が無線機器の識別情報に対応させて機能の設定を対応付けた対応付け情報１７１を生成しているが、これに限らずに、生成部１６０は、ユーザのテレビジョン受像機でのコンテンツを視聴しているときの操作履歴からユーザの好みの設定を自動的に判定し、その設定に更新してもよい。具体的には、ある無線機器の識別情報に対応付けられた設定でユーザがコンテンツをテレビジョン受像機で視聴している場合、例えば、ＲＦチャンネルの設定において、ユーザが直近の所定の期間において所定時間を超えて視聴されたテレビジョン受像機のチャンネルの順番の優先度を上げてもよい。つまり、この場合、より小さい番号に当該チャンネルを割り当てる変更を行ってもよい。このように、ユーザによる操作履歴に基づいて、所定の頻度、所定の回数及び所定時間のいずれか１つを超えた操作がある場合、当該操作に基づく設定に自動的に更新するようにしてもよい。
【０１０２】
（他の実施の形態）
以上、本発明の実施の形態に係るテレビジョン受像機について説明したが、本発明は、この実施の形態に限定されるものではない。
【０１０３】
例えば、通信部１１０は、Ｂｌｕｅｔｏｏｔｈ（登録商標）、Ｗｉ−Ｆｉなどの無線通信を行うことが可能であるとしたが、これに限らずに、ＲＦＩＤ（Ｒａｄｉｏ  Ｆｒｅｑｕｅｎｃｙ  Ｉｄｅｎｔｉｆｉｅｒ）などのＮＦＣ（Ｎｅａｒ  Ｆｉｅｌｄ  Ｃｏｍｍｕｎｉｃａｔｉｏｎ）での通信を含んでもよい。つまり、この場合には、ＲＦＩＤタグを有したカードや携帯端末、その他の機器を、テレビジョン受像機の通信部１１０にかざすことにより、カードや携帯端末、その他の機器の識別情報をテレビジョン受像機の機能の設定と対応付けることになる。
【０１０４】
また、例えば、第一取得部１２１は、複数の無線機器が発している電波の周波数の違いから、複数の無線機器毎に当該無線機器の識別情報を生成しているが、これに限らずに、複数の無線機器から受信した複数の電波のそれぞれに含まれる情報（例えばＭＡＣアドレス）を当該無線機器の識別情報として取得してもよい。
【０１０５】
また、例えば、テレビジョン受像機１００の各機能の設定は、上述した機能の設定に限らずに、テレビジョン受像機１００の設定可能な機能であればよく、例えば、画質の設定や、音質の設定等であってもよい。例えば、画質の設定は、明るさ、コントラスト、ＲＧＢ（Ｒｅｄ  Ｇｒｅｅｎ  Ｂｌｕｅ）などの調整を行うための設定を含んでもよい。また、音質の設定は、サラウンド、ステレオ、モノラルのいずれかのモードでスピーカから出力させるための設定や、高音域から低音域までの間の複数の音域での出力値を調整するための設定などを含んでもよい。
【０１０６】
また、例えば、対応付け情報１７２は、複数の設定毎に優先順位が設定されるようにしてもよい。つまり、例えば、ＲＦチャンネルの設定等においては、無線機器２００ａを優先させて、パレンタルロックの設定などにおいては、無線機器２００ｂを優先させるように優先順位が対応付けられてもよい。このように、複数種類の設定において別々の優先順位を定めておくことで、複数のユーザの組み合わせに適した機能でテレビジョン受像機を制御することができる。
【０１０７】
また、上記の各装置は、具体的には、マイクロプロセッサ、ＲＯＭ、ＲＡＭ、ハードディスクドライブ、ディスプレイユニット、キーボード、マウスなどから構成されるコンピュータシステムとして構成されても良い。ＲＡＭまたはハードディスクドライブには、コンピュータプログラムが記憶されている。マイクロプロセッサが、コンピュータプログラムに従って動作することにより、各装置は、その機能を達成する。ここでコンピュータプログラムは、所定の機能を達成するために、コンピュータに対する指令を示す命令コードが複数個組み合わされて構成されたものである。
【０１０８】
さらに、上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしても良い。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。ＲＡＭには、コンピュータプログラムが記憶されている。マイクロプロセッサが、コンピュータプログラムに従って動作することにより、システムＬＳＩは、その機能を達成する。
【０１０９】
さらにまた、上記の各装置を構成する構成要素の一部または全部は、各装置に脱着可能なＩＣカードまたは単体のモジュールから構成されているとしても良い。ＩＣカードまたはモジュールは、マイクロプロセッサ、ＲＯＭ、ＲＡＭなどから構成されるコンピュータシステムである。ＩＣカードまたはモジュールは、上記の超多機能ＬＳＩを含むとしても良い。マイクロプロセッサが、コンピュータプログラムに従って動作することにより、ＩＣカードまたはモジュールは、その機能を達成する。このＩＣカードまたはこのモジュールは、耐タンパ性を有するとしても良い。
【０１１０】
また、本発明は、上記に示す方法であるとしても良い。また、本発明は、これらの方法をコンピュータにより実現するコンピュータプログラムであるとしても良いし、上記コンピュータプログラムからなるデジタル信号であるとしても良い。
【０１１１】
さらに、本発明は、上記コンピュータプログラムまたは上記デジタル信号をコンピュータ読み取り可能な非一時的な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）  Ｄｉｓｃ）、半導体メモリなどに記録したものとしても良い。また、これらの非一時的な記録媒体に記録されている上記デジタル信号であるとしても良い。
【０１１２】
また、本発明は、上記コンピュータプログラムまたは上記デジタル信号を、電気通信回線、無線または有線通信回線、インターネットを代表とするネットワーク、データ放送等を経由して伝送するものとしても良い。
【０１１３】
また、本発明は、マイクロプロセッサとメモリを備えたコンピュータシステムであって、上記メモリは、上記コンピュータプログラムを記憶しており、上記マイクロプロセッサは、上記コンピュータプログラムに従って動作するとしても良い。
【０１１４】
また、上記プログラムまたは上記デジタル信号を上記非一時的な記録媒体に記録して移送することにより、または上記プログラムまたは上記デジタル信号を上記ネットワーク等を経由して移送することにより、独立した他のコンピュータシステムにより実施するとしても良い。
【０１１５】
さらに、上記実施の形態をそれぞれ組み合わせるとしても良い。
【産業上の利用可能性】
【０１１６】
本発明は、ユーザがテレビジョン受像機を視聴する度に自分に適した機能の設定を行わなくても、当該ユーザに適した機能で自動的に制御可能なテレビジョン受像機及びその制御方法などとして有用である。
【符号の説明】
【０１１７】
１、１ａ、１ｂ  無線システム
１００、１００ａ、１００ｂ  テレビジョン受像機
１１０  通信部
１２０  取得部
１２１  第一取得部
１２２  第二取得部
１３０  特定部
１４０、１４０ａ  制御部
１５０  受付部
１６０、１６０ａ  生成部
１７０、１７０ａ  記憶部
１７１、１７２  対応付け情報
１８０  通知部
１９１  表示部
１９２  スピーカ
２００ａ〜２００ｃ  無線機器
３００  リモコン
４００  サーバ
５００  インターネット
【図１】
2015226290.tif 000003
【図２】
2015226290.tif 000004
【図３】
2015226290.tif 000005
【図４Ａ】
2015226290.tif 000006
【図４Ｂ】
2015226290.tif 000007
【図５】
2015226290.tif 000008
【図６】
2015226290.tif 000009
【図７】
2015226290.tif 000010
【図８】
2015226290.tif 000011
【図９】
2015226290.tif 000012